(57)【要約】      （修正有）【課題】十字型刃が前記ネジの十字溝から離脱することなく確実に係止して十字型刃がネジの十字溝の角部を損傷することなく、ビットの回転時にネジの十字溝の角部をなめることなく最後まで締め付けられる回転工具用ビットを提供する。【解決手段】十字型刃１を形成する平板状刃７の外周部位に、平面状にして、且軸方向に延びる傾斜状刃６と、傾斜状刃の上方に孔開け刃８を形成し、傾斜状刃の先端部に隣接する傾斜状刃の方向にして、且中心部を尖状する稍四辺形状の傾斜状先端刃１０を四面形成し、対向する傾斜状先端刃に形成の稜線部１１を交叉し、交叉した中心部位を尖状中心部１２とすると共に、４本の稜線部を湾曲状の凹部９とする。【選択図】図４
0003134009.tif 000002
【実用新案登録請求の範囲】
【請求項１】
ビット本体の一端部に十字型刃を形成し、且他端部に回転工具の係止部材が嵌挿する係止用凹溝部を形成し、前記十字型刃と前記係止用溝部との間に角形状胴部を、前記係止用溝部と他端部との間に上方角形状胴部を形成し、且前記十字型刃の上方に逃げ用凹部を形成する回転工具用ビットにおいて、
前記十字型刃を形成する平板状刃の外周部位に、平面状にして、且軸方向に延びる傾斜状刃と、前記傾斜状刃の上方に孔開け刃を形成し、前記傾斜状刃の先端部に隣接する傾斜状刃の方向にして、且中心部を尖状する稍四辺形状の傾斜状先端刃を四面形成し、対向する前記傾斜状先端刃に形成の稜線部を交叉し、交叉した中心部位を尖状中心部とすると共に、前記４本の稜線部を湾曲状の凹部とすることを特徴とする回転工具用ビット。
【請求項２】
前記角形状胴部と前記上方角形状胴部を形成する同一辺面に、複数の凹溝と、前記複数の凹溝との間に形成の突起とを軸線方向に形成することを特徴とする請求項１記載の回転工具用ビット。
【請求項３】
前記角形状胴部と前記上方角形状胴部の同一辺面に形成する凹溝は、２本にして、且同一線上に位置し、前記角形状胴部と前記上方角形状胴部の同一辺面に形成する突起は１本とすることを特徴とする請求項１又は同２記載の回転工具用ビット。
【請求項４】
前記４面形成された前記傾斜状先端刃の稜線部は、対向する前記傾斜状先端刃同志が、直線状となることを特徴とする請求項１又は同２又は同３記載の回転工具用ビット。
【考案の詳細な説明】
【技術分野】
【０００１】
本考案は、回転工具用ビットの分野に関するものである。
【背景技術】
【０００２】
従来、電動・充電ドライバー、エアドライバー等に装着使用されるドライバービット１として、実開平６−６１４６１公開実用新案公報が開示されている。
【０００３】
前記開示のドライバービットを形成するビット先端部４、５の中、最先端部は平坦面となっている。
【０００４】
さらに、回転具用ビットとその製造方法及びドライバーとして、特開２０００−１６７７７６公開特許公報が開示されている。
【０００５】
前記開示の回転工具用ビット１を形成する四枚の羽部５の十字頭部２、３と反対側の先端部は、特徴ある形状に加工は施していない。
【０００６】
また、従来プラスドライバービットとして、特開２００４−１８１６１２公開特許公報が開示されている。前記開示のプラスドライバービットの先端部は、削り取られて平坦面状となっている。
【０００７】
さらに、十字ねじ廻しとして、実用新案登録第３１０９６９０号登録実用新案公報が開示されている。
【０００８】
前記登録実用新案公報の十字ねじ廻し及びドライバービットの先端部の形状は、図１、２、３、４の図面に図示されているように、中心部を最も高く尖状に形成している。
【０００９】
また、ドライバーのビット構造及びネジのリセス構造が特開平１１−２５７３２１公開特許公報として開示されている。
【００１０】
前記開示の公開特許公報のドライバーのビットの先端部１５は、図１、２、３に図示されているとおり、尖状となっている。
【特許文献１】実開平６−６１４６１公開実用新案公報
【特許文献２】特開２０００−１６７７７６公開特許公報
【特許文献３】特開２００４−１８１６１２公開特許公報
【特許文献４】実用新案登録第３１０９６９０号登録実用新案公報
【特許文献５】特開平１１−２５７３２１公開特許公報
【考案の開示】
【考案が解決しようとする課題】
【００１１】
前記開示の実開平６−６１４６１公開実用新案公報のドライバービットは、ビット先端部４、５の中、最先端部が平坦面となっているので、ネジ頭の十字溝に嵌合し回転せしめると、前記最先端部が平坦面のため、十字溝面に突刺して食い込むことなく、単に当接する程度である。
【００１２】
そのため、前記ビットを回転すると、前記ネジ頭の十字溝を形成する角部が損傷し、そのため前記ビットが回転すると、前記ネジのッ十溝がなめって、前記ネジを最後まで締め付けることができないおそれがあった。
【００１３】
さらに、特開２０００−１６７７７６公開特許公報の回転工具用ビット１を形成する四枚の羽部５の十字頭部２、３と反対側の先端部は、平坦状をしているので、前記回転工具用ビット１を頭部が十字溝のネジの十字溝内に嵌め込んで、前記ビットを回転させても、前記実開平６−６１４６１公開実用新案公報のドライバービットと同じような結果をきたし、十字溝付きネジを確実且迅速に所定の締付け位置に到達できないおそれがあった。
【００１４】
また、前記開示の特開２００４−１８１６１２公開特許公報のプラスドライバービットの先端部も、平坦面となっているので、前記公報のビットを回転させても、前記実開平６−６１４６１公開実用新案公報等のドライバービットと同じような結果をきたし、十字溝付きネジを確実且迅速に所定の締付け位置に到達させることができないおそれがあった。
【００１５】
さらに、前記開示の実用新案登録第３１０９６９０号登録実用新案公報の十字ねじ廻し及びドライバービットの先端部の形状は、図１、２、３、４の図面に図示されているように、中心部を最も高く尖状となっているので、前記ビットの先端部が十字溝付きネジの頭部内に嵌挿し、回転したとしても、十字溝の表面に単に当接しているだけで、十字溝の接地面を突刺し、前記ビットの十字型刃によって十字溝付きネジの角部が損傷し、そのため、前記ビットの回転時に、前記ネジをスムーズに最後まで締め付けることができない。
【００１６】
また、前記開示の特開平１１−２５７３２１公開特許公報のドライバーのビット構造及びネジのリセス構造の中、ドライバーのビットの先端部１５は、尖状となっているので、前記実用新案登録第３１０９６９０号登録実用新案公報の十字ネジ廻し及びドライバービットと同じく、前記ビットの先端部が十字溝付きネジの頭部内に嵌挿し、回転したとしても、十字溝の表面に単に当接しているだけで、十字溝の接地面を突刺し、前記ビットの十字型刃によって十字溝付きネジの角部を損傷し、そのため、前記ビットの回転時に、前記ネジの十字溝がなめって前記ネジをスムーズに最後まで締め付けることができない。
【００１７】
しかるに、本考案の回転工具用ビットは、ビットの十字型刃を穿孔した孔内に挿入したネジの頭部の十字溝に嵌挿すると、十字型刃を形成する尖状中心部が前記ネジの十字溝の交叉部の中心に突刺状態となっており、突刺状態のまま前記ビットを回転させると、前記ビットが尖状中心部によって突刺状態を確保しながら、前記十字型刃が前記ネジの十字溝から離脱することなく確実に係止して十字型刃が前記ネジの十字溝の角部を損傷することなく、そのため前記ビットの回転時に、前記ネジの十字溝の角部をなめることなく最後まで締め付けることができるようにした。
【００１８】
さらに、本考案のビットは、前記ビットを構成する角形状胴部と上方角形状胴部の同一辺面に、複数の凹溝と、突起を軸線方向に形成しておくことによって、前記複数の凹溝と突起を有する辺面を基準面として、前記ビットの十字型刃を構成する前記傾斜状先端刃の刃をスムーズに形成することができるようにした。
【００１９】
また、本考案のビットは、前記ビットを構成する角形状胴部と上方角形状胴部の同一辺面に、複数の凹溝と、突起を軸腺方向に形成しておくことによって、材質の異なる他の製品とを区別して品質の管理をスムーズにした。
【００２０】
さらに、本考案のビットは、十字型刃の傾斜状先刃を利用して座ぐりカッターの機能を発揮できるようにした。
【課題を解決するための手段】
【００２１】
課題を解決するための手段として、請求項１記載の考案は、ビット本体の一端部に十字型刃を形成し、且他端部に回転工具の係止部材が嵌挿する係止用凹溝部を形成し、前記十字型刃と前記係止用溝部との間に角形状胴部を、前記係止用溝部と他端部との間に上方角形状胴部を形成し、且前記十字型刃の上方に逃げ用凹部を形成する回転工具用ビットにおいて、
前記十字型刃を形成する平板状刃の外周部位に、平面状にして、且軸方向に延びる傾斜状刃と、前記傾斜状刃の上方に孔開け刃を形成し、前記傾斜状刃の先端部に隣接する傾斜状刃の方向にして、且中心部を尖状する稍四辺形状の傾斜状先端刃を四面形成し、対向する前記傾斜状先端刃に形成の稜線部を交叉し、交叉した中心部位を尖状中心部とすると共に、前記４本の稜線部を湾曲状の凹部とすることを特徴とする回転工具用ビットである。
【００２２】
課題を解決するための手段として、請求項２記載の考案は、前記角形状胴部と前記上方角形状胴部を形成する同一辺面に、複数の凹溝と、前記複数の凹溝との間に形成の突起とを軸線方向に形成することを特徴とする請求項１記載の回転工具用ビットである。
【００２３】
課題を解決するための手段として、請求項３記載の考案は、前記角形状胴部と前記上方角形状胴部の同一辺面に形成する凹溝は、２本にして、且同一線上に位置し、前記角形状胴部と前記上方角形状胴部の同一辺面に形成する突起は１本とすることを特徴とする請求項１又は同２記載の回転工具用ビットである。
【００２４】
課題を解決するための手段として、請求項４記載の考案は、前記４面形成された前記傾斜状先端刃の稜線部は、対向する前記傾斜状先端刃同志が、直線状となることを特徴とする請求項１又は同２又は同３記載の回転工具用ビットである。
【考案の効果】
【００２５】
請求項１記載の考案は、ビット本体の一端部に十字型刃を形成し、且他端部に回転工具の係止工具の係止部材が嵌挿する係止用凹溝部を形成し、前記十字型刃先と前記係止用溝部との間に角形状胴部を、前記係止用溝部と他端部との間に上方角形状胴部を形成し、且前記十字型刃の上方に逃げ用凹部を形成する回転工具用ビットにおいて、前記十字型刃を形成する平板状刃の外周部位に、平面状にして、且軸方向に延びる傾斜状刃と、前記傾斜状刃の上方に孔開け刃を形成し、前記傾斜状刃の先端部に隣接する傾斜状刃の方向にして、且中心部を尖状する稍四辺形状の傾斜状先端刃を四面形成し、対向する前記傾斜状先端刃に形成の稜線部を交叉し、交叉した中心部位を尖状中心部とすると共に、前記４本の稜線部を湾曲状の凹部とする回転工具用ビットなので、ネジ頭部の十字溝に、本考案のビットの十字型刃が嵌挿すると、ビットの尖状中心部が滑ることなく、突刺状態となり、且ビットの十字型刃の４つの各刃がネジ頭部の十字溝内に嵌挿し、ネジを所定の位置に到達させるために前記ビットを回転すると、前記ビットの尖状中心部が突刺状態を確保し、且ビットの十字型刃の４つの各刃がネジの十字溝に確実に嵌挿係止し、前記ビットが回転時に、ネジ頭部の十字溝の角部を損傷したりしない。そのため前記ビットが回転時に、前記ネジ頭部の十字溝の角部をなめることなく、ネジ締め作業が途中で中止するようなことがない利点を有している。
【００２６】
さらに、本考案は、前記のようにネジ頭部の十字溝内に嵌挿したビットの十字型刃のなめりを解消したので、ネジを所定の締付け位置に確実且迅速に到達せしめ、作業能率を著しく高めることができる。
【００２７】
また、本考案は、十字型刃を形成する平板状刃の外周部位に、軸方向に延びる傾斜状刃を形成しているので、座ぐり作業をスムーズに行うことができる利点を有している。
【００２８】
請求項２記載の考案は、前記角形状胴部と前記上方角形状胴部を形成する同一辺面に、複数の凹溝と、前記複数の凹溝との間に形成の突起とを軸線方向に形成する回転工具用ビットなので、前記複数の凹溝と突起を有する辺面を基準面として、前記ビットの十字型刃を構成する前記傾斜状先端刃の刃付け工程において、前記先端刃を精密に形成することができるようにした。
【００２９】
また、本考案のビットは、前記ビットを構成する角形状胴部と上方角形状胴部の同一辺面に、複数の凹溝と、突起を軸腺方向に形成しておくことによって、材質の異なる他の製品との区別をスムーズにして品質管理の向上を図ることができる。
【００３０】
さらに、前記請求項１記載の考案の効果と同じ効果を有している。
【００３１】
請求項３記載の考案は、前記角形状胴部と前記上方角形状胴部の同一辺面に形成する凹溝は、２本にして、且同一線上に位置し、前記角形状胴部と前記上方角形状胴部の同一辺面に形成する突起は１本とする回転工具用ビットなので、請求項１又は同２記載の効果と同じ効果を有している。
【００３２】
請求項４記載の考案は、前記４面形成された前記傾斜状先端刃の稜線部は、対向する前記傾斜状先端刃同志が、直線状となる回転工具用ビットなので、請求項１又は同２又は同３記載の効果と同じ効果を有している。
【考案を実施するための最良の形態】
【００３３】
本考案の請求項１〜４記載の考案に関する実施の形態は共通しているので、以下のとおり一括して説明する。
【００３４】
図面において、符号ａは、本考案の回転工具用ビットであり、以下の構成からなっている。
【００３５】
前記ビット本体ａは、一端部に十字型刃１を形成し、他端部には、回転工具用ｂの係止部材（図示なし）が嵌挿する係止用凹溝部２を形成する。
【００３６】
３は前記十字型刃１と前記係止用凹溝部２との間に形成の角形状（六角形）胴部である。
【００３７】
４は前記係止用凹溝部２と他端部との間に形成の上方角形状（六角形）胴部である。
【００３８】
５は前記十字型刃１の上方に形成の逃げ用凹部である。
【００３９】
６は前記十字型刃１を形成する平板状刃７の外周部位に形成した平面状にして、且軸方向に延びる傾斜状刃である。
【００４０】
そして、前記傾斜状刃６の上方に孔開け刃８を形成する。
【００４１】
前記平板状刃７の外周部位に形成されている傾斜状刃６と孔開け刃８を一体とするグループは、前記十字型刃１において四個形成されている。
【００４２】
さらに、前記十字型刃１は、軸方向に延びる凹部９が四個形成されている。
【００４３】
また、本考案は、前記傾斜状刃６の先端部に、隣接する傾斜状刃６の方向にして、且中心部を尖状とする稍四辺形状の傾斜状先端刃１０を四面形成し、対向する前記傾斜状先端刃１０に形成の稜線部１１を交叉し、交叉した中心部位を尖状中心部１２とする。前記稜線部１１は、４本とも稍湾曲状の凹部１１ａを形成する。そのため前記尖状中心部１２は、より尖状となる。
【００４４】
前記各胴部３、４は、通常六角形状とするが、限定しない。
【００４５】
１３は前記各形状胴部３と前記上方角形状胴部４を形成する同一辺面１４、１５に軸方向に形成した凹溝である。前記凹溝１３は複数形成する。
【００４６】
１６は前記凹溝１３の間に形成した軸方向に延びる突起である。そして前記突起１６は、同一辺面１４、１５の高さと同じである。
【００４７】
１７は十字溝１８ネジ、１９は前記ネジ１７の頭部である。
【００４８】
２０は孔開け用木材である。２１は穿孔された孔である。
【００４９】
前記の構成からなる本考案の回転工具用ビットａは以下のように使用する。
【００５０】
まず、木材２０に開けられた孔２１にネジ１７を嵌挿した後、ネジ１７の頭部１９の十字溝１８に十字型刃１を嵌挿する。
【００５１】
前記のように十字型刃１が嵌挿すると、尖状中心部１２がネジ１７の十字溝１８の中心の交叉部に突刺状態となっている。従って尖状中心部１２は単に当接状態となっていない。
【００５２】
前記のような突刺状態となっている前記ビットａを回転させると、前記尖状中心部１２が、前記十字溝１８の中心の交叉部に突刺状態となっているので、前記ビットａが回転力によって浮き上ったりしない。同時に前記ネジ１７の十字溝１８内に嵌込み引掛り係止している前記十字型刃１を構成する前記平板状刃７の外周に形成の傾斜状刃６がなめって、離脱しない。そのため、前記ネジ１７を所定の位置まで確実且迅速に到達せしめることができる。
【００５３】
つぎに、本考案のビットａは、前記傾斜状刃６によって、座ぐりができる。
【００５４】
さらに、本考案のビットａは、各胴部３、４の同一辺面１４、１５に、凹溝１３と突起１６とを形成したので、前記複数の凹溝と突起を有する辺面を基準面として、前記ビットの十字型刃を構成する前記傾斜状先端刃の刃付け作業をスムーズにした。
【００５５】
また、本考案のビットは、前記ビットを構成する角形状胴部と上方角形状胴部の同一辺面に、複数の凹溝と、突起を軸腺方向に形成しておくことによって、材質が異なる他の製品と区別をして品質管理が容易にできる。
【図面の簡単な説明】
【００５６】
【図１】本考案回転工具用ビットの正面図である。
【００５７】
【図２】同ビットの一部切欠拡大正面図である。
【００５８】
【図３】同ビットの底面図である。
【００５９】
【図４】同ビットの一部切欠拡大斜視図である。
【００６０】
【図５】同ビットで材木を穿孔している使用状態の一部切欠拡大正面図である。
【００６１】
【図６】同ビットがネジに嵌挿した状態の一部切欠拡大縦断面図である。
【符号の説明】
【００６２】
ａ      ビット
１      十字型刃
２      凹溝部
３      胴部
４      胴部
５      凹部
６      傾斜状刃
７      平板状刃
８      孔開け刃
９      凹部
１０    傾斜状先端刃
１１    稜線部
１１ａ  凹部
１２    尖状中心部
１３    凹溝
１４    同一辺面
１５    同一辺面
１６    突起
１７    ネジ
１８    十字溝
１９    頭部
２０    木材
２１    孔
【図１】
0003134009.tif 000003
【図２】
0003134009.tif 000004
【図３】
0003134009.tif 000005
【図４】
0003134009.tif 000006
【図５】
0003134009.tif 000007
【図６】
0003134009.tif 000008